(57)【要約】【課題】画像診断装置にＭＰＰＳ送信機能を付加する。【解決手段】ＭＰＰＳ送信機能を有しないＸ線撮影装置１ＡからのＤＩＣＯＭ送信データを受信するための入力インターフェースの画像受信機能１０と、ＤＩＣＯＭ受信データを解析し、画像に関連する検査情報および検査終了情報を検出する情報検出プログラムにより実行される情報検出機能１１と、検出されたデータをＭＰＰＳフォーマットに配列させるデータ構成機能１２と、検査終了を判別する検査終了判別機能１３と、このデータをＤＩＣＯＭネットワーク８に送出するための出力インターフェースのＭＰＰＳ送信機能１４を備えている。【選択図】            図２
2010022727.tif 000002
【特許請求の範囲】
【請求項１】
ＭＰＰＳ送信機能を有しないＤＩＣＯＭ画像送信機能を備えた画像診断装置にＭＰＰＳ送信機能を付加するＭＰＰＳゲートウエイであって、前記画像診断装置からのＤＩＣＯＭプロトコルにて画像情報を受信する画像受信手段と、前記受信した画像情報から検査関連情報を取り出す情報取出手段と、前記取り出した検査関連情報をＭＰＰＳ規格に整合するデータに構成するデータ構成手段と、前記構成したデータを送信するＭＰＰＳ送信手段とを備えていることを特徴するＭＰＰＳゲートウエイ。
【請求項２】
検査終了信号を発生させる終了信号発生手段と、前記検査終了信号を送信するＭＰＰＳ送信手段とを備えていることを特徴する請求項１記載のＭＰＰＳゲートウエイ。
【請求項３】
前記終了信号発生手段は、検査単位の情報を取得する情報取得手段と、取得した検査単位情報が保存されている検査単位情報と同一かを判別する情報判別手段を備え、同一の場合は再度検査単位情報の取得を繰り返し、不同一の場合は検査終了信号を発生させるものであることを特徴とする請求項１記載のＭＰＰＳゲートウエイ。
【請求項４】
前記終了信号発生手段は、検査時間を計時するタイマーと、タイマー計時時間が予め設定された設定時間を越えたかを判別するタイムアウト判別手段を備え、タイムアウト前においてはタイマーを停止して新規画像情報を受信し、タイムアウトの場合は検査終了信号を発生させることを特徴とする請求項１記載のＭＰＰＳゲートウエイ。
【請求項５】
前記終了信号発生手段は、手動で検査終了信号を送信する信号発生器によるものであることを特徴とするＭＰＰＳゲートウエイ。
【発明の詳細な説明】
【技術分野】
【０００１】
Ｘ線撮影装置、超音波診断装置、ＭＲＩ診断装置などの画像診断装置で撮影された画像および画像に関連する患者名や患者ＩＤなどの関連情報を、ＤＩＣＯＭ（Ｄｉｇｉｔａｌ
Ｉｍａｇｉｎｇ  Ｃｏｍｍｕｎｉｃａｔｉｏｎ  ｉｎ  Ｍｅｄｉｃｉｎｅ）ネットワークを介してＤＩＣＯＭ画像受信装置（例えば画像サーバー）やＭＰＰＳ（Ｍｏｄａｌｉｔｙ  Ｐｅｒｆｏｒｍｅｄ  Ｐｒｏｃｅｄｕｒｅ  Ｓｔｅｐ）受信装置（例えばＭＰＰＳサーバー）に送信して情報を収集し、必要に応じて画像および関連情報を抽出し患者の診断を行う医療画像情報システムに関し、特にＭＰＰＳ送信機能を有しない画像診断装置にＭＰＰＳ送信機能を付加するＭＰＰＳゲートウエイに関する。
【背景技術】
【０００２】
最近の医療画像情報システムの構築例を図６に示す。図６の点線で示されるとおりＤＩＣＯＭ通信による画像およびＭＰＰＳ送信機能を有するＸ線撮影装置１、超音波診断装置２、ＭＲＩ診断装置３あるいは点線で示されるとおり画像送信機能は有するがＭＰＰＳ送信機能を持たないＸ線撮影装置１Ａなど通信機能の異なる各種の画像診断装置がＤＩＣＯＭネットワーク８に接続され、このＤＩＣＯＭネットワーク８を介して画像を収集する画像サーバー４や検査関連情報を収集するＭＰＰＳサーバー５に画像や関連情報が収集され
、画像観察ビューワ６による画像診断やＨＩＳ（Ｈｏｓｐｉｔａｌ  Ｉｎｆｏｒｍａｔｉｏｎ  Ｓｙｓｔｅｍ）７との情報交換が行われている。
【非特許文献１】笠井俊文・小川敬壽  診療画像機器学  オーム社  ｐ．８３
【発明の開示】
【発明が解決しようとする課題】
【０００３】
画像診断装置は機能レベルが上がるにつれ価格も上昇するため、医療画像情報システムを構築する際、すべて高機能レベルの画像診断装置を導入することは難しく、当初はＤＩＣＯＭ画像送信機能とＭＰＰＳ送信機能の両方を有するものやＤＩＣＯＭ画像送信機能は有するがＭＰＰＳ送信機能は有しない種々の機種が導入されている。一方、これらの画像診断装置を導入している顧客からはすでに導入している後者の画像診断装置にも画像情報だけでなく、患者名、患者ＩＤ、Ｘ線撮影の場合のＸ線管の印加電圧、電流撮影時間などの検査関連情報を送信するためにＭＰＰＳ送信機能の追加についての要望がある。
このような場合従来は、高機能レベルの機種に交換するか、大幅な内部改造を行うなどの方法が採られ多大の支出を要した。
【課題を解決するための手段】
【０００４】
上記の要望に対応するために、本発明のＭＰＰＳゲートウエイは、ＭＰＰＳ送信機能を有しないＤＩＣＯＭ画像送信機能を備えた画像診断装置にＭＰＰＳ送信機能を付加するＭＰＰＳゲートウエイであって、前記画像診断装置からのＤＩＣＯＭプロトコルにて画像情報を受信する画像受信手段と、前記受信した画像情報から検査関連情報を取り出す情報取出手段と、前記取り出した検査関連情報をＭＰＰＳ規格に整合するデータに構成するデータ構成手段と、前記構成したデータを送信するＭＰＰＳ送信手段とを備えている。
さらに本発明のＭＰＰＳゲートウエイは、検査終了信号を発生させる終了信号発生手段と、前記検査終了信号を送信するＭＰＰＳ送信手段とを備えている。
【０００５】
前記終了信号発生手段は、検査単位の情報を取得する情報取得手段と、取得した検査単位情報が保存されている検査単位情報と同一かを判別する情報判別手段を備え、同一の場合は再度検査単位情報の取得を繰り返し、不同一の場合は検査終了信号を発生させるものである。
また、前記終了信号発生手段は、検査時間を計時するタイマーと、タイマー計時時間が予め設定された設定時間を越えたかを判別するタイムアウト判別手段を備え、タイムアウト前においてはタイマーを停止して新規画像情報を受信し、タイムアウトの場合は検査終了信号を発生させるものである。
さらに、前記終了信号発生手段は、手動で検査終了信号を送信する信号発生器によるものである。
【発明の効果】
【０００６】
ＭＰＰＳ送信機能を有しない画像診断装置とＤＩＣＯＭネットワークとの間にＭＰＰＳゲートウエイを介設することにより、前記画像診断装置自体を改造することなく、ＭＰＰＳ送信機能付画像診断装置と同様に画像および検査情報をＤＩＣＯＭネットワークを介して画像サーバーやＭＰＰＳサーバーに送信することができる。これにより最初から高機能レベルのＭＰＰＳ送信機能付装置を装備することなく、運用で必要に応じてＭＰＰＳゲートウエイを付加してＭＰＰＳ送信機能を持たせることができ、医療システム構成の多大なコストを軽減できる。
【発明を実施するための最良の形態】
【０００７】
本発明実施例のＭＰＰＳゲートウエイ９をＭＰＰＳ送信機能を有しないＸ線撮影装置１Ａに適用したＤＩＣＯＭネットワーク８の構成図を図１に示す。Ｘ線撮影装置１Ａは、ＭＰＰＳゲートウエイ９を介してＤＩＣＯＭネットワーク８に接続されており、点線で示されるように、Ｘ線撮影装置１Ａからの画像情報は画像サーバー４に、患者名や検査関連情報がＭＰＰＳサーバー５に送信され個々に収集される。
【０００８】
前記ＭＰＰＳゲートウエイ９は、演算処理プログラムを実行するマイクロコンピュータ
、入出力インターフェースおよび演算処理プログラムを記憶させておくメモリを主体として構成される演算処理装置、例えばパーソナルコンピュータで構成されるもので、その機能を図２の機能ブロック図に示す。
【０００９】
このＭＰＰＳゲートウエイ９は、前記Ｘ線撮影装置１ＡからのＤＩＣＯＭ送信データを受信するパーソナルコンピュータの入力インターフェースの画像受信機能１０と、ＤＩＣＯＭ受信データを解析し、画像に関連する患者名、ＩＤナンバー、Ｘ線管の印加電圧、電流、撮影時間などの関連情報および検査終了情報を検出する情報検出プログラムにより実行される情報検出機能１１と、検出されたデータをＭＰＰＳ規格のフォーマットに配列させるデータ構成機能１２と、検査終了を判別する検査終了判別機能１３と、このＭＰＰＳ規格に対応して配列されたデータをＤＩＣＯＭネットワーク８に送出するための出力インターフェースのＭＰＰＳ送信機能１４を備えている。
【００１０】
Ｘ線撮影装置１ＡからＭＰＰＳサーバー５に対しＭＰＰＳ送信を実行するには、検査単位の情報を認識して検査が終了したことを検知し、検査終了信号を送信する必要がある。この検査終了信号を検知する方法として以下に示す（１）から（４）の方法が用いられる。
（１）検査単位の情報（例えばＳｔｕｄｙ  Ｉｎｓｔａｎｃｅ  ＵＩＤ（Ｕｎｉｑｕｅ  Ｉｄｅｎｔｉｔｙ））で検知する方法を図３のフローチャートで示す。ＭＰＰＳゲートウエイ９により、Ｘ線撮影装置１Ａから送信される画像情報を読込（ＳＴ１）、検査単位の情報（例えばＳｔｕｄｙ  Ｉｎｓｔａｎｃｅ  ＵＩＤ）を取得し（ＳＴ２）、Ｘ線管球の印加電圧、電流、Ｘ線照射時間、患者名、患者ＩＤなどのＭＰＰＳデータを作成する（ＳＴ３）。そして、取得した「Ｓｔｕｄｙ  Ｉｎｓｔａｎｃｅ  ＵＩＤ」が保存している「Ｓｔｕｄｙ  Ｉｎｓｔａｎｃｅ  ＵＩＤ」と同一かを判別し（ＳＴ４）、ＹＥＳの場合は画像情報読込（ＳＴ１）を繰り返し、ＮＯの場合はＭＰＰＳサーバー５に検査終了信号を送信し（ＳＴ５）、「Ｓｔｕｄｙ  Ｉｎｓｔａｎｃｅ  ＵＩＤ」を保存して（ＳＴ６）画像情報読込（ＳＴ１）を繰り返す。
（２）タイマーで検知する方法を図４のフローチャートで示す。ＭＰＰＳゲートウエイ９にタイマーを設定し、タイマーがタイムアウトしたかを監視する（ＳＴ１）。ＮＯならば新規画像を受信したかを判別し（ＳＴ２）、ＹＥＳならタイマーを停止し（ＳＴ３）、画像情報を読込（ＳＴ４）、前記（１）の方法と同様にＭＰＰＳデータを作成した後（ＳＴ５）、タイマーをスタートさせ（ＳＴ６）、タイムアウトの監視を繰り返す（ＳＴ１）。一方、新規画像の受信がＮＯならタイムアウトの監視を繰り返す（ＳＴ１）。また、タイムアウトの監視において（ＳＴ１）ＹＥＳならＭＰＰＳサーバー５に検査終了信号を送信し（ＳＴ７）、タイマーの監視を繰り返す（ＳＴ１）。
（３）手動で検査終了信号を送信する方法を図５のフローチャートで示す。ＭＰＰＳゲートウエイ９に検査終了信号を送信するための検査終了ボタンを設け、検査終了ボタンが押されたかを監視しておき（ＳＴ１）、ＮＯなら監視を繰り返し、ＹＥＳなら検査終了信号を送信し（ＳＴ２）、検査終了ボタンを監視する（ＳＴ１）。
（４）上記の検査終了信号の送信方法を組み合わせて用いる。
【００１１】
本発明のＭＰＰＳゲートウエイはパーソナルコンピュータ等のディジタル演算処理装置で構成されているので、画像に含まれていない情報をＭＰＰＳ送信する場合にはＭＰＰＳゲートウエイ９のキーボードにて手動で送信情報を入力し送信も可能である。また、ＭＰＰＳ送信する情報を確認する必要がある場合にはＭＰＰＳゲートウエイ９にて確認の表示も可能である。
【産業上の利用可能性】
【００１２】
ＤＩＣＯＭプロトコルによる通信機能は有するがＭＰＰＳ送信機能を有しないＸ線撮影装置、超音波診断装置、ＭＲＩ診断装置などの画像診断装置に適用できる。
【図面の簡単な説明】
【００１３】
【図１】本発明による医療画像情報システムの構成図である。
【図２】実施例によるＭＰＰＳゲートウエイの機能ブロック図である。
【図３】実施例に係る検査終了信号を検知する手順を示すフローチャートである。
【図４】実施例に係る検査終了信号を検知する手順を示す他のフローチャートである。
【図５】実施例に係る検査終了信号を検知する手順を示す他のフローチャートである。
【図６】従来の医療画像情報システムの構成図である。
【符号の説明】
【００１４】
１  Ｘ線撮影装置
１Ａ  Ｘ線撮影装置
２  超音波診断装置
３  ＭＲＩ診断装置
４  画像サーバー
５  ＭＰＰＳサーバー
６  画像観察ビューワ
７  ＨＩＳ
８  ＤＩＣＯＭネットワーク
９  ＭＰＰＳゲートウエイ
１０  画像受信機能
１１  情報検出機能
１２  データ構成機能
１３  検査終了判別機能
１４  ＭＰＰＳ送信機能
【図１】
2010022727.tif 000003
【図２】
2010022727.tif 000004
【図３】
2010022727.tif 000005
【図４】
2010022727.tif 000006
【図５】
2010022727.tif 000007
【図６】
2010022727.tif 000008